(57)【特許請求の範囲】
【請求項１】
前面に開放自在の扉が枠体に取付けられた収納キャビネットであって、
前記扉の背面に回動自在に取付けられ、前記扉の開閉時の回動中心となる軸体と、
前記扉の背面であって前記軸体から所定距離離れた位置に、その一方端部が回動自在に取付けられた連動アームと、
前記連動アームの他方端部にその一方端部が回動自在に取付けられ、その他方端部は前記枠体に軸を介して回動自在に取付けられた作動アームと、
前記作動アームに接続され、前記扉が閉じた状態から所定量開いた状態までの移動に伴って前記連動アームを介して変化する前記作動アームの第１の位置から第２の位置にあっては、前記作動アームが前記第１の位置に移動するように付勢し、前記扉が前記所定量を超えて開いた状態への移動に伴って前記連動アームを介して変化する前記作動アームの第３の位置にあっては、前記作動アームが前記第２の位置から離れる位置に移動するように付勢する付勢手段とを備えた、収納キャビネット。
【請求項２】
前記枠体に対して前記扉の方向に移動自在に取付けられたスライダーを更に備え、
前記スライダーの一部は、前記作動アームの前記第１の位置から前記第２の位置への移動に伴って前記扉の方向に移動するように前記作動アームに回動自在に接続され、
前記スライダーの他の一部は、前記軸体に回動自在に接続される、請求項１記載の収納キャビネット。
【請求項３】
前記扉は下方から上方に持ち上げられるように開閉し、
前記扉の下方に隣接して設けられた引出し板と、
前記引出し板にその一方端が取付けられ、その他方端は前記連動アーム及び前記作動アームの少なくとも一方に接続され、前記引出し板の移動によって前記作動アームを少なくとも前記第１の位置から前記第３の位置まで移動させることができるリンク機構とを更に備えた、請求項１又は請求項２記載の収納キャビネット。
【請求項４】
前記リンク機構は、
前記枠体内にその一方端が回動自在に取付けられ、その他方端には前記連動アームと前記作動アームとを接続する軸が移動自在となるように係合する連結アームと、
前記連結アームの中央部にその一方端が回動自在に接続され、その他方端が前記引出し板に接続される連結棒とからなる、請求項３記載の収納キャビネット。
【請求項５】
前記扉は下方から上方に持ち上げられるように開閉し、
前記枠体内には、一対の平行支持リンクを介して前記枠体の前記下方に引出し自在に移動できる昇降棚が格納されており、
前記昇降棚の前面上端部には、前記前下方への移動に伴って前記扉の内面に接しながら回転する第１のローラーが設けられており、
前記昇降棚の側壁には、前記昇降棚を前記前下方の位置から前記枠体への移動に伴って前記作動アームと係合し、前記作動アームを少なくとも前記第３の位置から前記第２の位置へ移動させる第２のローラーが設けられている、請求項１又は請求項２記載の収納キャビネット。
【請求項６】
前記扉の下方には開口が設けられ、
前記開口を介して露出する前記昇降棚に接続する取手が設けられている、請求項５記載の収納キャビネット。
【発明の詳細な説明】
【０００１】
【発明の属する技術分野】
この発明は収納キャビネットに関し、特に台所等の上方位置に取付けられて使用される収納キャビネットに関するものである。
【０００２】
【従来の技術】
図１６は従来の収納キャビネットの使用状態を示した側面図である。
【０００３】
図を参照して、台所の床８７と側壁８８とのコーナー部に調理台８４が設置され、その上方に収納キャビネット８５が側壁８８と天井８９のコーナーに接するように設置されている。収納キャビネット８５の前面には扉８６が取付けられており、扉８６は下方から上方に開閉自在となるように構成されている。収納キャビネット８５に物を収納したり取出す際には、扉８６を持ち上げて開放状態にして使用する。このように扉８６の上方へ開く機能は、いわゆる観音開きの扉に比べて、隣接する収納キャビネットと緩衝する虞がないため使い勝手が良い。
【０００４】
【発明が解決しようとする課題】
上記のような従来の収納キャビネットでは、扉が上方に開いた位置において停止するように構成されている。従って、その扉の位置が天井近くになってしまうため、使用後に扉を閉めるのが容易ではない。そこで、例えば扉の先端に紐等を吊り下げれば扉を閉めることには問題がないが、通常時に紐が邪魔になり又見栄えも良くない。
【０００５】
この発明は上記のような課題を解決するためになされたもので、開いた状態の扉自体に力を加えなくても扉を閉めることができる収納キャビネットを提供することを目的とする。
【０００６】
【課題を解決するための手段】
【０００８】
上記の目的を達成するために、請求項１記載の発明は、前面に開閉自在の扉が枠体に取付けられた収納キャビネットであって、扉の背面に回動自在に取付けられ、扉の開閉時の回動中心となる軸体と、扉の背面であって軸体から所定距離離れた位置に、その一方端部が回動自在に取付けられた連動アームと、連動アームの他方端部にその一方端部が回動自在に取付けられ、その他方端部は枠体に軸を介して回動自在に取付けられた作動アームと、作動アームに接続され、扉が閉じた状態から所定量開いた状態までの移動に伴って連動アームを介して変化する作動アームの第１の位置から第２の位置にあっては、作動アームが第１の位置に移動するように付勢し、扉が所定量超えて開いた状態への移動に伴って連動アームを介して変化する作動アームの第３の位置にあっては、作動アームが第２の位置から離れる位置に移動するように付勢する付勢手段とを備えたものである。
【０００９】
このように構成すると、作動アームの位置により扉の開閉が自動的に制御される。
【００１０】
請求項２記載の発明は、請求項１記載の発明の構成において、枠体に対して扉の方向に移動自在に取付けられたスライダーを更に備え、スライダーの一部は作動アームの第１の位置から第２の位置への移動に伴って扉の方向に移動するように作動アームに回動自在に接続され、スライダーの他の一部は軸体に対して回動自在に接続されるものである。
【００１１】
このように構成すると、扉が開くように移動するにつれて、軸体の位置が扉側へ移動する。
【００１２】
請求項３記載の発明は、請求項１又は請求項２記載の発明の構成において、扉は下方から上方に持ち上げられるように開閉し、扉の下方に隣接して設けられた引出し板と、引出し板にその一方端が取付けられ、その他方端は連動アーム及び作動アームの少なくとも一方に接続され、引出し板の移動によって作動アームを少なくとも第１の位置から第３の位置へ移動することができるリンク機構とを更に備えたものである。
【００１３】
このように構成すると、引出し板を移動させると扉が上下方向に開閉する。
【００１４】
請求項４記載の発明は、請求項３記載の発明の構成において、リンク機構は、枠体内にその一方端が回動自在に取付けられ、その他方端には連動アームと作動アームとを接続する軸が移動自在となるように係合する連結アームと、連結アームの中央部にその一方端が回動自在に接続され、その他方端が引出し板に接続される連結棒とからなるものである。
【００１５】
このように構成すると、引出し板の移動が連結棒及び連結アームを介して連動アーム及び作動アームに伝達される。
【００１６】
請求項５記載の発明は、請求項１又は請求項２記載の発明の構成において、扉は下方から上方に持ち上げるように開閉し、枠体内には、一対の平行支持リンクを介して枠体の前下方に引出し自在に移動できる昇降棚が格納されており、昇降棚の前面上端部には前下方への移動に伴って扉の内面に接しながら回転する第１のローラーが設けられており、昇降棚の側壁には、昇降棚を前下方の位置から枠体への移動に伴って作動アームと係合し、作動アームを少なくとも第３の位置から第２の位置へ移動する第２のローラーが設けられているものである。
【００１７】
このように構成すると、昇降棚の格納位置から前下方への移動に伴って第１ローラーは扉を押し上げ、又下方の位置から格納位置への移動に伴って扉を閉める方向に力が加わるものである。
【００１８】
請求項６記載の発明は、請求項５記載の発明の構成において、扉の下方には、開口が設けられ、開口を介して露出する昇降棚に接続する取手が設けられているものである。
【００１９】
このように構成すると、取手を引くことによって昇降棚が引出されるとともに扉は上方向に開き出し、取手を戻すことによって昇降棚の格納とともに扉は閉まるように移動する。
【００２０】
【発明の効果】
【００２１】
請求項１記載の発明は、作動アームの位置を操作することによって扉の開閉が可能となるため使い勝手が良い。
【００２２】
請求項２記載の発明は、請求項１記載の発明の効果に加えて、扉が開くにつれて軸体の位置が扉側へ移動するため、扉と枠体との緩衝を避けることができ、スムーズな扉の開閉が可能となる。
【００２３】
請求項３記載の発明は、請求項１又は請求項２記載の発明の効果に加えて、引出し板を移動させると扉が開閉するため、扉が上方に開いた状態でも、下方に位置する引出し板を操作すれば扉を容易に閉めることが可能となる。
【００２４】
請求項４記載の発明は、請求項３記載の発明の効果に加えて、引出し板の移動が連結棒及び連結アームを介して連動アーム及び作動アームに伝達されるため、引出し板の位置に関わらず扉を確実に作動させることが可能となる。
【００２５】
請求項５記載の発明は、請求項１又は請求項２記載の発明の効果に加えて、昇降棚の使用時には扉が開き、昇降棚の格納時には扉が閉まるため使い勝手が良い。
【００２６】
請求項６記載の発明は、請求項５記載の発明の効果に加えて、取手を操作することによって扉に触れることなく昇降棚を引出したり、格納したりすることができるため、より使い勝手が向上する。
【００２７】
【発明の実施の形態】
図１はこの発明の第１の実施の形態による収納キャビネットの正面図であり、図２は図１で示したＩＩ−ＩＩラインの拡大断面図であり、図３は図２で示したＩＩＩ−ＩＩＩラインの断面図であり、図４は図２で示したＩＶ−ＩＶラインの断面図である。
【００２８】
これらの図を参照して、収納キャビネット２０は少なくとも前面が開放された直方体箱型形状の枠体２２と、枠体２２の開放面前面を覆い、下方から上方へ開閉自在に取付けられた扉２３と、扉２３の開閉動作を制御する一対の開閉機構２４ａ，開閉機構２４ｂとから構成されている。尚、開閉機構２４ａ，開閉機構２４ｂはそれぞれ枠体２２の側壁の内方面に取付けられているが、これらは機構的には同一であるため、以下では開閉機構２４ａについてその構成及び動作について説明する。
【００２９】
図２に示されているように、開閉機構２４ａは枠体２２の側壁内面に固定されているベース２７と、ベース２７に係合し扉２３の方向に移動自在な移動支持部３０と、ベース２７の一部と移動支持部３０の一部とに係合する作動アーム３６と、作動アーム３６にその一方端が係合し、且つその他方端が扉２３に接続された連動アーム４８を中心として構成されている。
【００３０】
ベース２７は長方形平板を折曲げ加工して形成されており、その長手方向の中央部に対して長手方向の両端縁側が起き上がるように曲げ加工されている。ベース２７の中央部の後端側は同一面内に伸びる突出部３４が形成されており、その中央部において枠体２２の側板４２に固定されている。従って、ベース２７の長手方向の両側縁は、図４に示されているように側板４２から一定距離離れた位置に側板４２の面と平行となるように配置されることになる。
【００３１】
移動支持部３０は長方形平板形状を中心として、図２に示されているようにその左上には前方突出部２９が延長されており、その中央部の右方向には後方突出部３３が延長されている。前方突出部２９の先端側には軸体３１が取付けられ、扉２３に固定されている固定部材３２が軸体３１に対して回動自在となるように接続されている。一方、後方突出部３３の先端にはローラー４０が取付けられているが、これについては後述する。
【００３２】
作動アーム３６は細長い平板形状を有しており、その一方端にはほぼ三角形状の駆動部３８が延長されており、駆動部３８の頂角部分にはほぼＬ字状の長孔３９が形成されている。又駆動部３８の端部は、軸４１を介して突出部３４に対して回動自在に接続されている。更に駆動部３８の底辺側には突起部４３が形成されており、突起部４３の端部には付勢手段となるガススプリング４５の一方端部が回動自在に接続されている。尚、ガススプリング４５の他方端部は側板４２に固定されている固定軸４６に対して回動自在に接続されている。
【００３３】
連動アーム４８は細長い板形状を有しており、その一方端部は作動アーム３６の他方端部に対して軸４９を介して回動自在に接続されている。連動アーム４８の他方端部は扉２３の背面側に固定されている固定部材５１に対して軸５０を介して回動自在に接続されている。尚、この実施の形態においては、連動アーム４８は作動アーム３６に対して側板４２側に位置するように配置されている。
【００３４】
移動支持部３０の側板４２側には、その４つのコーナー部の各々に回動自在のローラー３５ａ〜ローラー３５ｄが取付けられている。ローラー３５ａ，ローラー３５ｂの各々はベース２７の上方側の端縁に係合し、ローラー３５ｃ，ローラー３５ｄの各々はベース２７の下方側の端縁に係合するように構成されている。従って、スライダー２８はベース２７に対して扉２３の方向にスライド自在となる。又スライダー２８の後方突出部３３の先端に取付けられたローラー４０は、作動アーム３６の長孔３９の面内を移動できるように長孔３９に係合している。
【００３５】
次に上記で示した開閉機構の動作について説明する。
【００３６】
図５及び図６は上述の開閉機構の動作の変化状態を示した図である。
【００３７】
これらの図を参照して、図５の（１）は天板２６に対して扉２３が完全に閉じられた状態における開閉機構の位置状態を示している。この状態は図２で示したものと同一であるが、ガススプリング４５の軸４１に対する位置関係が重要である。すなわち、図から明らかなように、ガススプリング４５の軸方向の延長線は軸４１の上方を通過するようになっている。ガススプリング４５は常に軸４４を押圧する状態になっているため、この状態では第１の位置にある作動アーム３６に対して反時計方向周りの回転モーメントを付与することになる。このため作動アーム３６に係合しているローラー４０に対しても図において右方向に移動するように力を加えることになる。すなわちスライダー２８に対しては右方向に力を加え、その結果軸体３１を介して扉２３に固定されている固定部材３２に天板２６の方向に力を伝達することになる。
【００３８】
一方、作動アーム３６は軸４１を介して反時計方向周りに回転しようとするため、軸４９を介して接続されている連動アーム４８に対して右方向に力を加えることになる。その結果扉２３に固定されている固定部材５１に対して軸５０を介して右方向への力を伝達することになる。このようにして扉２３は固定部材３２及び固定部材５１を介して右方向に力が加えられることになり、天板２６（枠体２２）に対して閉じた状態が維持されることになる。
【００３９】
図５の（２）は図５の（１）の状態から扉２３が枠体２２の開放面から所定量（開き角度θ）だけ開いた状態の第１の範囲にある場合が示されている。この第１の範囲にあっては作動アーム３６は第２の位置に移動し、ガススプリング４５の軸線の延長方向はまだ軸４１の上方を通過しているため、扉２３、作動アーム３６及び連動アーム４８等に加えた力を解放するとガススプリング４５の付勢力によって扉２３は天板２６に対して閉じる方向に移動することになる。
【００４０】
尚、扉２３が開くことにより、連動アーム４８が移動し、これに伴って作動アーム３６は軸４１に対して時計方向周りに移動することになる。その結果長孔３９に係合しているローラー４０の位置は扉２３側にわずかに移動する。これによってスライダー２８は扉２３側に移動し、軸体３１も同様に移動する。このため軸体３１に接続する固定部材３２の位置も図５の（１）に示された位置より外方側に移動する。これによって扉２３が開いた時にその上方端部が天板２６に緩衝せずにスムーズに開閉できることになる。
【００４１】
図５の（３）は図５の（２）に示した状態から更に扉２３の開き角度を大きくした状態の扉２３が第２の範囲にある場合を示した図である。この第２の範囲になると、ガススプリング４５の軸線方向は軸４１の下方を通ることになる。このため、第３の位置に移動した作動アーム３６は軸４１に対して時計方向周りに回転するようにガススプリング４５によって付勢されることになる。その結果スライダー２８及び連動アーム４８の各々は扉２３側に更に移動しようとする。スライダー２８の移動量は連動アーム４８の移動量に比べて小さいため、扉２３は軸体３１を回転中心として更に開こうとすることになる。
【００４２】
従ってこの状態になると扉２３等に加えられている外力を解放すると、ガススプリング４５の付勢力によって扉２３は自動的に開く方向に移動することになる。
【００４３】
図６の（１）及び（２）は扉２３が更に開く途中の経過を示した図である。これらの図から分かるように、扉２３の移動に伴ってスライダー２８は更に扉２３側に移動する。従って、扉２３の上端部は天板２６に緩衝することなくスムーズに移動できることになる。尚、図６の（２）の状態においては、長孔３９に対するローラー４０の位置関係からスライダー２８が扉２３側に最大に移動した状態となっている。又、これらの状態にあってもガススプリング４５の軸線方向は、常に軸４１の下方側を通るため、扉２３に対して開く方向への力が継続的に伝達することが判明する。
【００４４】
図６の（３）の状態は扉２３が枠体２２に対してほぼ完全に開いた状態を示した図である。この状態にあっては、ローラ４０が作動アーム３６の長孔３９の端部まで移動することになり、そこで作動アーム３６の時計方向周りの回転は停止する。そして、作動アーム３６に接続されている連動アーム４８によって、扉２３は開いた状態が支持されることになる。
【００４５】
次にこの開いた状態から扉２３を閉じる動作について説明する。
【００４６】
図６の（３）に示した状態から、扉２３、作動アーム３６及び連動アーム４８のいずれかに扉２３が閉じる方向に力を加える。すると開閉機構は上述とは逆の方向に移動することになる。そして図５の（３）に示されている状態までは外力を加えておく必要があるが、図５の（２）の状態となると、上述のようにガススプリング４５の付勢力は扉２３を閉じる方向に働くように変化するため、加えた外力を解放しても扉２３は図５の（１）に示されている状態に移動し、この閉じた状態が維持されることになる。
【００４７】
図７はこの発明の第２の実施の形態による収納キャビネットの外観形状を示した正面図であり、図８は図７で示したＶＩＩＩ−ＶＩＩＩラインの断面図であって、扉を閉じた状態と扉をやや開いた状態とを示した図であり、図９は図８で示したＩＸ−ＩＸラインの拡大断面図であり、図１０は図８に対応した図であって、扉を完全に開放した状態を示した断面図である。
【００４８】
これらの図を参照して、収納キャビネット２０は、対向する２面が開放された長方形箱型形状の枠体２２の前面に下方から上方向に持ち上げられるように開閉される扉２３が取付けられ、扉２３の下方には取手５５が取付けられた引出し板５４が配置されている。枠体２２の両側壁の内方面には開閉連動機構５３ａ，開閉連動機構５３ｂが取付けられている。尚、開閉連動機構５３ａ，開閉連動機構５３ｂの各々は基本的には同一構造であるため、以下では開閉連動機構５３ａについてのみ説明する。
【００４９】
図８の（１）に示されているように扉２３の背面の上方部に取付けられている開閉機構２４ａは先の第１の実施の形態によるものと同一であるため、ここでの説明は繰り返さない。この実施の形態にあっては、開閉機構２４ａの下方部に連結棒５７と連結アーム６０とを中心としたリンク機構５２が取付けられている。連結アーム６０は細長い板形状を有しており、その一方端は枠体２２の側板４２に固定されている軸６２に対して回動自在に接続され、その他方端部には長孔６３が形成されている。長孔６３は、作動アーム３６と連動アーム４８とを接続する軸４９が長孔６３の長手方向に移動自在となるように構成されている。
【００５０】
一方、連結棒５７は中空円柱形状を有し、その一方端は引出し板５４の背面に固定されており、その他方端は連結アーム６０の中央部に軸６１を介して回動自在に接続されている。尚、連結棒５７は、図９に示されているように支持具５８を構成する管部材６５の内部を挿通自在となるように配置されている。管部材６５は、取付部材６６を介して側板４２に取付けられており、図８において支持具５８が紙面を貫通する方向に対して回転自在となるように取付けられている。従って、連結棒５７は常に支持具５８によって支持されているものの、側板４２の内方面に平行な面内において自在に移動することが可能となる。
【００５１】
次に、この実施の形態による収納キャビネットの使用状態について以下説明する。
【００５２】
図８の（１）に示されている扉２３が閉じた状態から取手５５を介して引出し板５４を外方側に引出す。すると図８の（２）に示されているように、引出し板５４の背面に接続されている連結棒５７が外方に引出されるように移動して、軸６１を介して連結アーム６０を軸６２を中心として反時計方向周りに回転させる。この連結アーム６０の移動に伴って、長孔６３に係合している軸４９は長孔６３に添って軸４１を中心として時計方向周りに移動する。軸４９の移動に伴って連動アーム４８は、外方側に移動して扉２３を開ける方向に移動させる。従ってこの状態における開閉機構２４ａは、先の第１の実施の形態における図５の（２）に示された状態となる。
【００５３】
この状態から更に引出し板５４を外方側に引出すとガススプリング４５による付勢力が扉２３を開ける方向に働き、その後作動アーム３６は自動的に軸４１を中心として時計方向周りに連続的に移動し、図１０に示されているように連動アーム４８を扉２３を完全に開いた状態まで移動させる。この時作動アーム３６及び連動アーム４８に接続されている軸４９は長孔６３の先端側まで移動し、連結アーム６０は軸６２を中心として反時計方向周りの最大変位の位置まで移動する。軸６１を介して連結アーム６０に接続されている連結棒５７は、連結アーム６０の移動に伴って更に下方に移動する。この時支持具５８は上述のように側板４２の内方面に平行な面において回動自在に構成されているため、連結棒５７を支持したままで連結棒５７の支持具５８内の挿通を妨げることがない。
【００５４】
次に図１０に示した状態から扉２３を枠体２２に対して閉じる動作について説明する。
【００５５】
この状態から扉２３を閉じるには枠体２２の前下方に位置している取手５５を介して引出し板５４を後上方に押し込むように力を加える。すると引出し板５４に接続されている連結棒５７は、支持具５８内を挿通して移動し、軸６１を介して連結アーム６０に軸６２を中心として時計方向周りに回転するように力を加えることになる。連結アーム６０の回転に伴って長孔６３に係合している軸４９は、軸４１を中心として反時計方向周りに移動する。この移動に伴い連動アーム４８も内方側に移動して扉２３を閉じる方向に力を加えられることになる。
【００５６】
そして図８の（２）に示されている位置まで引出し板５４を押し込むと、その時点からはガススプリング４５による押圧力が、扉２３に対して閉じる方向に伝達されるように変化する。従ってこの状態からは取手５５から手を離して外力を解放した状態にあっても、扉２３は更に枠体２２側に引き込まれ、引出し板５４も同様に内方側に引き込まれるように移動して、図８の（１）に示された扉２３が完全に閉じた状態に変化する。
【００５７】
このようにこの実施の形態にあっては、収納キャビネット２０を天井に近いような高い位置に設置した場合であっても、引出し板５４は常に収納キャビネット２０の下方側に位置することになる。従って図１０に示すような位置に扉２３が移動した場合であっても、取手５５を操作することによって容易に扉２３を閉じることが可能となり使い勝手が良い。又、開閉連動機構５３ａ，開閉連動機構５３ｂは、収納キャビネット２０の両側の側板４２の内方面に添わすように設置できるため、収納キャビネット２０に対して収納物を収容する際邪魔にならず、スムーズな収納動作が可能となる。
【００５８】
図１１はこの発明の第３の実施の形態による収納キャビネットの外観形状を示した正面図であり、図１２は図１１で示したＸＩＩ−ＸＩＩラインの断面図であり、図１３は図１１で示したＸＩＩＩ−ＸＩＩＩラインの断面図である。
【００５９】
これらの図を参照して、収納キャビネット２０は前面が開放されたほぼ直方体箱型形状の枠体２２と、枠体２２の開放面の上方側に取付けられ、下から上へと持ち上げられるように開閉自在な扉２３と、枠体２２の開放面の下方側に設置され、観音開きとなっている両開き扉７２によって外観形状が構成されている。又、枠体２２の中央部であって両開き扉７２の上端のレベルに水平方向に配置された棚７６が取付けられている。
【００６０】
枠体２２内であって棚７６の上方のスペースには、その両側壁を前支持リンク７０ａ，後支持リンク７１ａの一対の平行支持リンクと前支持リンク７０ｂ，後支持リンク７１ｂの一対の平行支持リンクとによって支持されて、前下方に引出し自在に移動することができる昇降棚６８が格納されている。尚、これらの平行支持リンクの各々は、各々の回動軸が枠体２２の側板４２ａ，側板４２ｂの内方面に取付けられた機構ボックス６９ａ，機構ボックス６９ｂの各々に挿通され、その引出し動作が制御されている。
【００６１】
一方、枠体２２の前面上方に取付けられている扉２３の背面には先の第１の実施の形態で示した開閉機構と同一の開閉機構２４ａ，開閉機構２４ｂが側板４２ａ，側板４２ｂの各々の内方面に取付けられている。収納キャビネット２０は左右対称に構成されていることから、以下の説明では、左側の側板４２ａ側における構成及び動作についてのみ説明する。
【００６２】
昇降棚６８の下方部には突出し部が設けられ、その先端に取付けられた取手７５が扉２３と両開き扉７２との間の開口７３から外方に突出るように構成されている。昇降棚６８の側壁の外方側にはローラー７９が取付けられているが、ローラー７９の側壁からの突出し程度は、開閉機構２４ａの作動アーム３６には緩衝するが、連動アーム４８には緩衝しない程度に設定されている。又、昇降棚６８の前方側の上端部には外方側に突出た位置にローラー７８が取付けられている。
【００６３】
図１４及び図１５は図１３の状態から昇降棚を引出した場合の変化を示した図である。
【００６４】
これらの図を参照して昇降棚の引出し動作について以下説明する。
【００６５】
扉２３が閉じた状態から取手７５を前方側に引くと、これに接続されている昇降棚６８は前支持リンク７０ａ，後支持リンク７１ｂによってその側壁が支持された状態で前方側に移動する。すると昇降棚６８の前面の上方に取付けられているローラー７８が扉２３の背面に当接して、扉２３を開ける方向に力を加えることになる。
【００６６】
更にこの状態から取手７５を引くと、図１４に示されているように昇降棚６８のローラー７８は扉２３の背面に添いながら移動し、扉２３を更に押し開けようとする。扉２３が所定量開くと、上述のようにガススプリング４５の押圧力によって作動アーム３６及び連動アーム４８が移動し、扉２３は更に開くように移動する。
【００６７】
この状態から更に昇降棚６８を前下方に引出すと、図１５に示された状態に変化する。すなわち、扉２３はガススプリング４５の押圧力によって完全に開いた状態まで移動し、そこで停止する。一方、昇降棚６８は前支持リンク７０ａ，前支持リンク７０ｂによって支持された状態で更に前下方に引出され、前支持リンク７０ｂの後端部がストッパー８０に当接した状態でその移動が停止する。この移動において昇降棚６８の側壁に取付けられているローラー７９は、作動アーム３６と連動アーム４８との間の位置から連動アーム４８の外側に移動するが、上述のようにローラー７９の突出し高さが設定されているため、ローラー７９が連動アーム４８に接触する虞はない。
【００６８】
次に図１５の状態から昇降棚を収納する場合の動作について説明する。
【００６９】
昇降棚６８を収納する際には取手７５を持って昇降棚６８を持ち上げるように力を加える。このとき後支持リンク７１ａには機構ボックス６９ａに格納されている付勢力によって時計方向周りに付勢されているため、昇降棚６８の持ち上げが容易となるように構成されている。昇降棚６８の枠体２２内への収納動作に伴い、昇降棚６８の側壁に取付けられているローラー７９も図１５で一点鎖線で示されているような軌跡に従って移動する。
【００７０】
上述のようにローラー７９は連動アーム４８に対しては緩衝しないが、作動アーム３６に対して緩衝するようにその突出し高さが設定されている。従って昇降棚６８の移動に伴ってローラー７９は、作動アーム３６の端縁に接することになる。この状態から昇降棚６８を枠体２２内に更に押し込むと、ローラー７９を介して作動アーム３６は反時計方向周りに移動することになる。この作動アーム３６の移動に伴い、連動アーム４８を介して扉２３は枠体２２に対して閉じる方向に移動を始める。
【００７１】
そして作動アーム３６が所定位置まで移動すると、上述のようにガススプリング４５の押圧力によって扉２３は自動的に閉まりだし、昇降棚６８が枠体２２内に完全に収納された状態にあっては、図１３の状態となって完全に閉じた状態に戻ることになる。この実施の形態においても図１５に示すように、扉２３が完全に開放して上方の位置にある場合であっても、下方位置にある取手７５を操作することによって扉２３を容易に閉じることが可能となる。又、扉２３の開閉は昇降棚６８の使用に連動して行われるため、扉２３の開閉には別途動作を必要とすることがないので、更に使い勝手が向上する。
【００７２】
尚、上記の各実施の形態では、扉を下方から上方に開閉するように構成しているが、上方から下方に又は横方向に開閉するように構成しても良い。
【００７３】
又、上記の各実施の形態では、開閉機構にガススプリングを用いているが、これに代えて押しバネや渦巻きバネを使用しても良く、又配置を変えて引張バネを使用するように構成しても良い。
【００７４】
更に、上記の各実施の形態では、扉２３を軸体３１を介して開閉機構２４に接続しているが、軸体３１を用いずに枠体２２にヒンジを介して直接接続するようにしても良い。
【００７５】
更に、上記の各実施の形態では、開閉機構、開閉連動機構を両側に設けているが、これらは片側にのみ設けるように構成しても同様の効果を奏する。
【００７６】
更に、上記の第２の実施の形態では、リンク機構５２を構成する連結アーム６０は軸４９に係合しているが、連動アーム４８又は作動アーム３６のいずれかに係合するようにしても良い。
【００７７】
更に、上記の第２の実施の形態では、引出し板５４は外方に露出しているが、これを扉２３内部に収納し、使用時には扉２３を若干開いて引出し板５４を引き出すように構成しても良い。
【００７８】
更に、上記の第３の実施の形態では、昇降棚６８の取手７５は外方に露出しているが、取手７５も扉２３内部に収納して、使用時には扉２３を若干開いた後、取手７５を昇降棚６８と共に引き出すようにすれば、収納キャビネットの前面がすっきりする。
【図面の簡単な説明】
【図１】この発明の第１の実施の形態による収納キャビネットの外観形状を示した正面図である。
【図２】図１で示したＩＩ−ＩＩラインの拡大断面図である。
【図３】図２で示したＩＩＩ−ＩＩＩラインの断面図である。
【図４】図２で示したＩＶ−ＩＶラインの断面図である。
【図５】図２で示した開閉機構の動作の一部を示した図である。
【図６】図２に示した開閉機構の動作の他の一部を示す図であって、図５に続く変化を示した図である。
【図７】この発明の第２の実施の形態による収納キャビネットの外観形状を示した正面図である。
【図８】図７で示したＶＩＩＩ−ＶＩＩＩラインの断面図である。
【図９】図８で示したＩＸ−ＩＸラインの拡大断面図である。
【図１０】図７で示したＶＩＩＩ−ＶＩＩＩラインの断面図に対応した図であって、扉が完全に開いた状態を示した図である。
【図１１】この発明の第３の実施の形態による収納キャビネットの概略形状を示した正面図である。
【図１２】図１１で示したＸＩＩ−ＸＩＩラインの断面図である。
【図１３】図１１で示したＸＩＩＩ−ＸＩＩＩラインの断面図である。
【図１４】図１１で示したＸＩＩＩ−ＸＩＩＩラインの断面図に対応する図であって、扉が開く途中の状態を示した図である。
【図１５】図１１で示したＸＩＩＩ−ＸＩＩＩラインの断面図に対応した図であって、扉が完全に開いた状態を示した図である。
【図１６】従来の収納キャビネットの使用状態を示した側面図である。
【符号の説明】
２０…収納キャビネット
２２…枠体
２３…扉
２４…開閉機構
２８…スライダー
３１…軸体
３６…作動アーム
４０，７８，７９…ローラー
４１，４４，４９，５０…軸
４２…側板
４５…ガススプリング
４８…連動アーム
５２…リンク機構
５３…開閉連動機構
５４…引出し板
５７…連結棒
６０…連結アーム
６８…昇降棚
７０…前支持リンク
７１…後支持リンク
７３…開口
７５…取手
尚、各図中同一符号は同一又は相当部分を示す。
【図１】
0003713023.tif 000002
【図２】
0003713023.tif 000003
【図３】
0003713023.tif 000004
【図４】
0003713023.tif 000005
【図５】
0003713023.tif 000006
【図６】
0003713023.tif 000007
【図７】
0003713023.tif 000008
【図８】
0003713023.tif 000009
【図９】
0003713023.tif 000010
【図１０】
0003713023.tif 000011
【図１１】
0003713023.tif 000012
【図１２】
0003713023.tif 000013
【図１３】
0003713023.tif 000014
【図１４】
0003713023.tif 000015
【図１５】
0003713023.tif 000016
【図１６】
0003713023.tif 000017